(57)【要約】【課題】接触圧を高めた状態で、同時に複数列のメダルをきれいに研磨することができるメダル研磨装置を提供する。【解決手段】メダルの厚み以下の板材に、複数のメダルを収納できる大きさのメダル保持枠部１１を形成したメダル保持部材５を多数連結し、無端状のメダル搬送装置２を構成する。これらのメダル保持部材５を表裏から挟むように上面研磨布と下面研磨布とを相対向させて設け、メダル保持部材５に保持されて搬送されるメダルの両面を研磨する。研磨布を強い接触圧でメダルの表裏に押し付けることができ、メダル表裏全面をきれいに研磨洗浄できる。【選択図】　　図２
2004086468.tif 000002
【特許請求の範囲】
【請求項１】
メダルの厚み以下の板材にメダル保持枠部を形成したメダル保持部材を多数連結して無端状のメダル搬送装置を構成するとともに、これらのメダル保持部材を表裏から挟むように研磨布を相対向させて設け、メダル保持部材に保持されて搬送されるメダルの両面を研磨布により研磨することを特徴とするメダル研磨装置。
【請求項２】
メダル保持枠は複数のメダルを収納できる大きさのものである請求項１記載のメダル研磨装置。
【請求項３】
メダル保持枠は略コ字状であり、その開口部を進行方向と逆方向とした請求項１記載のメダル研磨装置。
【発明の詳細な説明】
【０００１】
【発明の属する技術分野】
本発明は、スロットマシンから回収されたメダルを研磨洗浄するメダル研磨装置に関するものである。
【０００２】
【従来の技術】
スロットマシン等の遊技機で使用されるメダルは、人手に触れるので汚れ易い。このため遊技者が不快感を感じたり、装置内におけるメダルの循環が妨げられたりしないように、遊技機から回収されたときに研磨洗浄する必要がある。従来のメダル研磨装置としては、特開平７−２２０１３６号公報に示されるように一対の研磨布を箱体で押圧することにより接触状態で配置し、これらの研磨布間に送り込んだコインをその側方に配置した送りベルトに接触させて転動させながら研磨布間を移動させ、研磨する構造のものが知られている。
【０００３】
しかしこのような従来のメダル研磨装置は、コインを１列にして研磨しなければならず、研磨効率が悪かった。また研磨性能を上げるために一対の研磨布間の接触圧を高めると、研磨布間でメダルが進まなくなるという問題があった。
【０００４】
【発明が解決しようとする課題】
本発明は上記した従来の問題点を解決し、接触圧を高めた状態でメダルをきれいに研磨することができるメダル研磨装置を提供するためになされたものである。また本発明の他の目的は、同時に複数列のメダルをきれいに研磨することができるメダル研磨装置を提供することである。
【０００５】
【課題を解決するための手段】
上記の課題を解決するためになされた本発明は、メダルの厚み以下の板材にメダル保持枠部を形成したメダル保持部材を多数連結して無端状のメダル搬送装置を構成するとともに、これらのメダル保持部材を表裏から挟むように研磨布を相対向させて設け、メダル保持部材に保持されて搬送されるメダルの両面を研磨布により研磨することを特徴とするものである。なお、メダル保持枠は複数のメダルを収納できる大きさのものとすることが好ましい。また、メダル保持枠は略コ字状であり、その開口部を進行方向と逆方向とすることが好ましい。
【０００６】
【発明の実施の形態】
次に、本発明の好ましい実施形態を詳細に説明する。
本発明のメダル研磨装置１は、遊技機より回収されてくるメダルや計数装置から回収されてくるメダルを研磨洗浄する装置であり、図４に示されるように、斜め上向きに配設したメダル搬送装置２と研磨布を備えた研磨洗浄装置３とからなる。
【０００７】
メダル搬送装置２は、無端状のベルト駆動機構４と該ベルト駆動機構４に取り付けられて連繋される多数のメダル保持部材５とよりなる。ベルト駆動機構４は図４に示されるようにベース１ａと上面を傾斜させた支持側板１ｂとからなるフレームに取り付けられるもので、モータ６と、該モータ６の出力軸６ａに固定される駆動プーリ７と、該駆動プーリ７と歯付きベルト７ａを介して連繋される従動プーリ８と、該従動プーリ８と同軸に設けられる従動プーリ９を含めて左右の支持側板１ｂの各４隅に枢着される４対の従動プーリ９と、該各従動プーリ９に巻き掛けられる歯付きベルト１０、１０とからなる。
【０００８】
メダル保持部材５は、図２に示されるようにメダルの厚み以下の板材にメダル保持枠部１１を形成したものである。メダル保持枠部１１は、進行方向側には一枚のメダルが余裕をもって格納できる寸法としているが、進行方向と直交する横方向には複数枚のメダルが余裕をもって格納できる寸法としている。このように横方向に複数のメダルを格納できるようにすることにより、多数のメダルを同時に研磨洗浄できるものとなる。具体的には２５φのメダルで最大５個、鎖線で示す３０φのメダルで最大４個が前後左右との十分な余裕をもって格納できるようになっている。コ字形のメダル保持部材５は開口側を進行方向の後側に配置して上面研磨布１３と下面研磨布１４に引っかかることがないようにしている。これらのメダル保持部材５は対向する両側辺を歯付きベルト１０、１０にボルト止めすることにより多数連結され、無端状のメダル搬送装置２を構成している。
【０００９】
図１に示されるように、研磨洗浄装置３はこれらのメダル保持部材５を表裏から挟むように研磨布を相対向させて設けたもので、上面研磨布１３と下面研磨布１４を備えている。これらの上面研磨布１３と下面研磨布１４は、図３に示されるようにメダルの厚み以下のメダル保持部材５をその表裏より挟み込むことにより、相互に直接接触しない状態で、メダルに対して強い接触圧を加えることができる構造となっている。このように両研磨ベルトを配置し、上面研磨布１３と下面研磨布１４とを厚手で芯が強い材質とすることにより、メダルの表裏全体に均一な接触圧が加わるようにすることができる。上面研磨布１３と下面研磨布１４は両側縁を抑え板１５、１５により押圧され、メダルと一定の圧力で接触するようになっている。
【００１０】
１６は上面研磨布１３と下面研磨布１４の間歇送り出し機構である。この間歇送り出し機構１６は図４に示されるように、上面研磨布１３や下面研磨布１４がメダルの研磨洗浄により汚損されたとき、後記する研磨布送出量検出機構２２、２２に基いて一定量送り出されて新しい研磨洗浄面に置き換えるものである。間歇送り出し機構１６は、後側支持板１ｂの上下に払出し軸１７ａ、１７ｂと巻取り軸１８ａ、１８ｂとを設けたもので、払出し軸１７ａ、１７ｂには未使用のロール状の研磨布が装着され、巻取り軸１８ａ、１８ｂに使用済みの研磨布が巻き取られるようになっている。巻取り軸１８ａ、１８ｂは駆動モータと歯付きベルトを介して連繋されて回転駆動されるものである。また間歇送り出し機構１６は可変タイマーにより間歇駆動されるものであり、可変タイマーの作動時間は遊技機の稼働時間に基いて適宜設定される。
【００１１】
図１に示される１９は、上面研磨布１３と下面研磨布１４のガイド機構である。該ガイド機構１９は、研磨洗浄装置３の前後端にメダル保持部材５を表裏から挟み込むよう配置させた小径ガイドローラ１９ａ、１９ａと前記した抑え板１５、１５を支持する押圧部材２０の両端に枢着されるガイドローラ２０ａ、２０ａと、該ガイドローラ２０ａ、２０ａより内側に配置された研磨布送出量検出機構２２、２２とからなる。前記研磨布送出量検出機構２２、２２は図４に示されるように上面・下面研磨布を巻き掛けるピッチローラ２３、２３と、ピッチローラ２３、２３に設けられた４個のピッチ板２３ａ、２３ａとピッチ板２３ａ、２３ａをカウントするフォトセンサ２４からなり、送出される上面・下面研磨布により回転されるピッチローラ２３、２３のピッチ板２３ａ、２３ａをフォトセンサ２４によりカウントすることにより、上面・下面研磨布の送り出し量を規制するものである。
【００１２】
図１に示される２５は上面・下面研磨布１３、１４を適温に加熱する加熱装置である。この該加熱装置２５は、上面研磨布１３の上方に近接配置させた平板状ヒータ２５ａと下面研磨布１４の下方に近接配置させた平板状ヒータ２５ｂとよりなるものである。加熱装置２５により上面・下面研磨布１３、１４を加熱することにより後記する洗浄液含浸機構２６により洗浄液が含浸された上面・下面研磨布１３、１４は加温されるので、より高い洗浄効果を発揮することができる。
【００１３】
図１に示される２６は上面研磨布１３と下面研磨布１４の入口側を洗浄液で含浸湿潤させる洗浄液含浸機構である。この洗浄液含浸機構２６は、研磨ベルト幅のノズル体２６ａから洗浄液を供給するものである。このように上面・下面研磨布１３、１４を湿潤させてメダルの表裏面を拭い取ることにより、洗浄研磨効果をより一層高めることができる。また上面・下面研磨布１３、１４に含浸された洗浄液が加熱装置２５により加温されるとさらに洗浄効果が高まることとなる。しかも入口側で洗浄液が含浸された上面・下面研磨布１３、１４間を通過するメダルは洗浄液により濡れたものとなるが、濡れたメダルは加熱装置２５により出口側に向かうに従い水分が減少している上面・下面研磨布１３、１４により洗浄液を吸い取られるので、洗浄処理が終わった時には乾燥された状態となる。このため、メダルは直ちに遊技機に配給できることとなる。また上面・下面研磨布１３、１４が加熱されると洗浄液は蒸気化されるので、ダクトで蒸気を吸引して外部に排気するファンを設けてもよい。
【００１４】
図１に示される３０は研磨洗浄が完了したメダルを排出する排出機構である。この排出機構３０は、研磨洗浄装置３の終端に続かせたメダル保持部材５の裏側に上部開口を臨ませた排出シュート３１からなるもので、排出シュート３１の上部開口はメダル保持枠部１１より若干大きいものとして、研磨洗浄装置３のメダル保持枠部１１からメダルが速やかに排出されるようにしている。
【００１５】
図６に示される３５はメダル均し装置である。このメダル均し装置は研磨洗浄装置３の前段に配設されるものであり、メダル投入シュート３６の出口付近に設けた振り子ブラシ３５ａと該振り子ブラシ３５ａの先方に配置される回転ブラシ３５ｂとからなものである。また回転ブラシ３５ｂは図示しない駆動モータにより駆動され、振り子ブラシ３５ａは図示しない正逆モータにより駆動されるものである。また回転ブラシ３５ｂの回転方向はメダル送出方向と反対であり、反対方向に回転することにメダル保持部材５上の重なり合う上側のメダルを後方（進行方向とは逆）に掃き戻すものである。
【００１６】
図７、８に示されるように、メダル研磨装置１により研磨されたメダルはメダル揚送装置４０のリフト機構４２に送り込まれ、設置島上部の貯留タンク４３に揚送供給される。そして貯留タンク４３に設けられたメダル補給機構４４を介してメダル配給車Ｍへメダルを供給するとともに、メダル配給車Ｍにより図示しない各遊技機にメダルを配送する。
【００１７】
このように構成された本発明のメダル研磨装置においては、メダル保持枠部１１内に横一列となって複数枚のメダルが格納され、研磨洗浄装置３内に送り込まれることとなる。そしてメダルは始端側を洗浄液含浸機構２６により洗浄液が含浸された上面研磨布１３と下面研磨布１４間に強い接触圧で挟まれながら搬送され、メダルの表裏全面に略均一な接触圧が加えられた状態で研磨洗浄される。
【００１８】
このように洗浄液が含浸された上面研磨布１３と下面研磨布１４の間を通過することにより、メダルは汚れや手脂、タバコのヤニを拭い取られることとなる。しかも実施形態のように上面研磨布１３と下面研磨布１４を加熱しておけば、高い洗浄効果を得ることができる。さらにメダルは研磨洗浄装置３の出口側に向け搬送されてゆくが、上面研磨布１３と下面研磨布１４は出口側では乾燥されているので研磨洗浄が完了したメダルは乾燥されて排出機構３０から排出されることとなる。
【００１９】
またメダルの汚れが付着した上面研磨布１３と下面研磨布１４は、一定時間経過後、新しい面が送り出されるので、研磨性能を常に一定に維持することができる。
【００２０】
【発明の効果】
以上の説明により明らかなように、本発明のメダル研磨装置は、メダルの厚み以下の板材にメダル保持枠部を形成したメダル保持部材を多数連結して無端状のメダル搬送装置を構成するとともに、これらのメダル保持部材を表裏から挟むように研磨布を相対向させて設け、メダル保持部材に保持されて搬送されるメダルの両面を研磨布により研磨するものである。このようにメダルはメダル保持部材により搬送されるため、研磨布を強い接触圧でメダルの表裏に押し付けることができ、メダル表裏全面をきれいに研磨洗浄できる。
【００２１】
また同時に複数枚のメダルを研磨することができ、研磨能率を高めることができるとともに、サイズの異なる複数種類のメダルに対応することができる。さらに請求項３のようにメダル保持枠を略コ字状としてその開口部を進行方向と逆方向に向けておけば、研磨布間に進入するときに引っ掛かりにくく、スムーズに進入できる利点がある。
【図面の簡単な説明】
【図１】本発明の好ましい実施の形態を示す正面図である。
【図２】本発明の好ましい実施の形態を示す平面図である。
【図３】メダル保持枠部の拡大断面図である。
【図４】メダル研磨装置の正面図である。
【図５】メダル研磨装置の側面図である。
【図６】メダル均し装置の正面図である。
【図７】メダル研磨装置をメダル供給装置に組み込んだ正面図である。
【図８】図７の側面図である。
【符号の説明】
１　メダル研磨装置
１ａ　ベース
１ｂ　支持側板
２　メダル搬送装置
３　研磨洗浄装置
４　ベルト駆動機構
５　メダル保持部材
６　モータ
７　駆動プーリ
８　従動プーリ
９　従動プーリ
１０　歯付きベルト
１１　メダル保持枠部
１３　上面研磨布
１４　下面研磨布
１６　間歇送り出し機構
１７　払出し軸
１８　巻取り軸
１９　ガイド機構
１９ａ小径ガイドローラ
２０　押圧部材
２０ａガイドローラ
２２　研磨布送出量検出機構
２３　ピッチローラ
２３ａピッチ板
２４　フォトセンサ
２５　加熱装置
２５ａ平板状ヒータ
２５ｂ平板状ヒータ
２６　洗浄液含浸機構
２６ａノズル体
３０　排出機構
３１　排出シュート
３５　メダル均し装置
３５ａ振り子ブラシ
３５ｂ回転ブラシ
３６　メダル投入シュート
４０　メダル揚送装置
４２　リフト機構
４３　貯留タンク
４４　メダル補給機構
【図１】
2004086468.tif 000003
【図２】
2004086468.tif 000004
【図３】
2004086468.tif 000005
【図４】
2004086468.tif 000006
【図５】
2004086468.tif 000007
【図６】
2004086468.tif 000008
【図７】
2004086468.tif 000009
【図８】
2004086468.tif 000010